【手続補正書】
【提出日】平成30年2月1日(2018.2.1)
【手続補正１】
【補正対象書類名】特許請求の範囲
【補正対象項目名】全文
【補正方法】変更
【補正の内容】
【特許請求の範囲】
【請求項１】
物体側から像側に順に、
位置が固定の正屈折力の第１レンズ群と、
無限遠物点から近距離物点へのフォーカシングの際に、光軸に沿って像側へ移動する負屈折力の第２レンズ群と、
フォーカシングの際に光軸方向での位置が固定の正屈折力のリアレンズ群と、からなり、
前記第１レンズ群は、物体側から像側に順に、正屈折力の第１サブレンズユニットと、第２サブレンズユニットと、正屈折力の第３サブレンズユニットと、絞りと、からなり、
以下の条件式（１）を満足することを特徴とする望遠レンズ。
０．４＜ｄsu1o2／ｄG1＜０．８      （１）
ここで、
ｄsu1o2は、前記第１サブレンズユニットの最も物体側に位置するレンズの物体側の面から前記第２サブレンズユニットの最も物体側に位置するレンズの物体側の面までの光軸上の距離、
ｄG1は、前記第１レンズ群の最も物体側に位置するレンズの物体側の面から前記第１レンズ群の最も像側に位置するレンズの像側の面までの光軸上の距離、
である。
【請求項２】
以下の条件式（２）を満足することを特徴とする請求項１に記載の望遠レンズ。
０．４＜ｆsu1／ｆ＜１．０      （２）
ここで、
ｆsu1は、前記第１サブレンズユニットの焦点距離、
ｆは、無限遠物点合焦時の前記望遠レンズ全系の焦点距離、
である。
【請求項３】
以下の条件式（３）を満足することを特徴とする請求項１又は２に記載の望遠レンズ。
４＜ｆsu1／ｄsu1i2＜１５      （３）
ここで、
ｆsu1は、前記第１サブレンズユニットの焦点距離、
ｄsu1i2は、前記第１サブレンズユニットの最も像側に位置するレンズの像側の面から前記第２サブレンズユニットの最も物体側に位置するレンズの物体側の面までの光軸上の距離、
である。
【請求項４】
前記第３サブレンズユニットは、以下の条件式（４）を満足する正レンズを少なくとも１枚有することを特徴とする請求項１から３のいずれか１項に記載の望遠レンズ。
１６＜νsu3pmin＜５５      （４）
ここで、
νsu3pminは、前記第３サブレンズユニット内の正レンズのアッベ数のうちで、最小となるアッベ数、
である。
【請求項５】
以下の条件式（５）を満足することを特徴とする請求項１から４のいずれか１項に記載の望遠レンズ。
０．３５＜ｆsu3／ｆ＜１      （５）
ここで、
ｆsu3は、前記第３サブレンズユニットの焦点距離、
ｆは、無限遠物点合焦時の前記望遠レンズ全系の焦点距離、
である。
【請求項６】
前記第１サブレンズユニットは、１枚又は２枚の単レンズからなることを特徴とする請求項１から５のいずれか１項に記載の望遠レンズ。
【請求項７】
前記第２サブレンズユニットは、物体側から像側に順に、負レンズと、正レンズと、正レンズと、負レンズと、を有することを特徴とする請求項１から６のいずれか１項に記載の望遠レンズ。
【請求項８】
前記第２サブレンズユニットは、最も物体側に接合レンズを有することを特徴とする請求項１から６のいずれか１項に記載の望遠レンズ。
【請求項９】
前記第２サブレンズユニットは、物体側から像側に順に、物体側接合レンズと、像側接合レンズと、を有することを特徴とする請求項１から６のいずれか１項に記載の望遠レンズ。
【請求項１０】
前記第２サブレンズユニットの物体側接合レンズは、物体側から像側に順に、負の単レンズと、正の単レンズと、からなり、
前記第２サブレンズユニットの像側接合レンズは、物体側から像側に順に、正の単レンズと、負の単レンズと、からなることを特徴とする請求項９に記載の望遠レンズ。
【請求項１１】
前記第３サブレンズユニットは１つのレンズ成分からなることを特徴とする請求項１から１０のいずれか１項に記載の望遠レンズ。
ここで、レンズ成分は、単レンズまたは接合レンズであって、空気接触する光学有効面が２面のレンズである。
【請求項１２】
前記リアレンズ群は、正屈折力の第３レンズ群と、負屈折力の第４レンズ群と、正屈折力の第５レンズ群と、を有することを特徴とする請求項１から１１のいずれか１項に記載の望遠レンズ。
【請求項１３】
前記第４レンズ群は、光軸と垂直方向に移動する手ブレ低減レンズを有することを特徴とする請求項１から１２のいずれか１項に記載の望遠レンズ。
【請求項１４】
以下の条件式（６）を満足することを特徴とする請求項１に記載の望遠レンズ。
０．４２＜ｄG1／ＬTL＜０．５２      （６）
ここで、
ｄG1は、前記第１レンズ群の最も物体側に位置するレンズの物体側の面から前記第１レンズ群の最も像側に位置するレンズの像側の面までの光軸上の距離、
ＬTLは、無限遠物点合焦時における前記望遠レンズの最も物体側に位置するレンズの物体側の面から像面までの距離、
である。
【請求項１５】
以下の条件式（７）を満足することを特徴とする請求項１に記載の望遠レンズ。
１＜ｄsu1s／ｄG1＜１．２      （７）
ここで、
ｄsu1sは、前記第１サブレンズユニットの最も物体側に位置するレンズの物体側の面から前記絞りまでの光軸上の距離、
ｄG1は、前記第１レンズ群の最も物体側に位置するレンズの物体側の面から前記第１レンズ群の最も像側に位置するレンズの像側の面までの光軸上の距離、
である。
【請求項１６】
前記第５レンズ群は、物体側から像側に順に、物体側接合レンズと、像側接合レンズと、を有することを特徴とする請求項１２に記載の望遠レンズ。
【請求項１７】
以下の条件式（８）を満足する負レンズを有することを特徴とする請求項１２に記載の望遠レンズ。
０．６０＜θgFG5min＜０．６８      （８）
ここで、
θgFG5minは、前記第５レンズ群内の負レンズのθgFのうちで、最小となるθgF、
θgFは、部分分散比であって、θgF＝（ｎｇ−ｎＦ）／（ｎＦ−ｎＣ）で表され、
ｎＣ、ｎＦ、ｎｇは、それぞれ、Ｃ線、Ｆ線、ｇ線に対する屈折率、
である。
【請求項１８】
以下の条件式（９）を満足することを特徴とする請求項１２に記載の望遠レンズ。
０．０５≦ｆG5／ｆ≦０．１５      （９）
ここで、
ｆG5は、前記第５レンズ群の焦点距離、
ｆは、無限遠物点合焦時の前記望遠レンズ全系の焦点距離、
である。
【請求項１９】
以下の条件式（１０）を満足することを特徴とする請求項１に記載の望遠レンズ。
０．６５＜ＬTL／ｆ＜０．９５      （１０）
ここで、
ＬTLは、無限遠物点合焦時における前記望遠レンズの最も物体側に位置するレンズの物体側の面から像面までの距離、
ｆは、無限遠物点合焦時の前記望遠レンズ全系の焦点距離、
である。
【請求項２０】
以下の条件式（１１）を満足することを特徴とする請求項１に記載の望遠レンズ。
０．４＜ｆG1／ｆ＜０．５      （１１）
ここで、
ｆG1は、前記第１レンズ群の焦点距離、
ｆは、無限遠物点合焦時の前記望遠レンズ全系の焦点距離、
である。
【請求項２１】
以下の条件式（１２）を満足することを特徴とする請求項１に記載の望遠レンズ。
−０．２５＜ｆG2／ｆ＜−０．１      （１２）
ここで、
ｆG2は、前記第２レンズ群の焦点距離、
ｆは、無限遠物点合焦時の前記望遠レンズ全系の焦点距離、
である。
【請求項２２】
以下の条件式（１３）を満足することを特徴とする請求項１２に記載の望遠レンズ。
０．１＜ｆG3／ｆ＜０．３      （１３）
ここで、
ｆG3は、前記第３レンズ群の焦点距離、
ｆは、無限遠物点合焦時の前記望遠レンズ全系の焦点距離、
である。
【請求項２３】
以下の条件式（１４）を満足することを特徴とする請求項１２に記載の望遠レンズ。
−０．１＜ｆG4／ｆ＜−０．０３      （１４）
ここで、
ｆG4は、前記第４レンズ群の焦点距離、
ｆは、無限遠物点合焦時の前記望遠レンズ全系の焦点距離、
である。
【請求項２４】
前記第２サブレンズユニットの前記物体側接合レンズは、以下の条件式（１５）を満足する正レンズを有することを特徴とする請求項９に記載の望遠レンズ。
８５＜νsub2op＜１００      （１５）
ここで、
νsub2opは、前記第２サブレンズユニットの前記物体側接合レンズにおける少なくとも１つの正レンズのアッベ数、
である。
【請求項２５】
前記第２サブレンズユニットの前記像側接合レンズは、以下の条件式（１６）を満足する正レンズを有することを特徴とする請求項９に記載の望遠レンズ。
７０＜νsub2ip＜１００      （１６）
ここで、
νsub2ipは、前記第２サブレンズユニットの前記像側接合レンズにおける少なくとも１つの正レンズのアッベ数、
である。
【請求項２６】
以下の条件式（１７）を満足することを特徴とする請求項１に記載の望遠レンズ。
０．２＜Ｙ2／Ｙ1a＜０．３２      （１７）
ここで、
Ｙ2は、前記第２レンズ群の入射面における軸上光線の最大光線高、
Ｙ1aは、前記第１レンズ群の入射面における軸上光線の最大光線高、
である。
【請求項２７】
前記第１レンズ群は、物体側より順に、
１枚または２枚の正レンズからなる第１サブレンズユニットと、
負レンズと正レンズの順で構成された接合レンズと、正レンズと負レンズの順で構成された接合レンズと、からなる第２サブレンズユニットと、
単レンズまたは接合レンズからなる第３サブレンズユニットと、からなることを特徴とする請求項１に記載の望遠レンズ。
【請求項２８】
以下の条件式（１８）を満足することを特徴とする請求項１に記載の望遠レンズ。
０．５５＜Ｙ1b／Ｙ1a＜０．８５      （１８）
ここで、
Ｙ1aは、前記第１レンズ群の入射面における軸上光線の最大光線高、
Ｙ1bは、前記第２サブレンズユニットの入射面における軸上光線の最大光線高、
である。
【請求項２９】
前記第２サブレンズユニットは、以下の条件式（１９）を満足する正レンズを有することを特徴とする請求項１に記載の望遠レンズ。
７５＜νｄ1bp＜１００      （１９）
ここで、
νｄ1bpは、前記第２サブレンズユニットに含まれる正レンズの最小アッベ数、
である。
【請求項３０】
以下の条件式（２０）を満足することを特徴とする請求項１に記載の望遠レンズ。
０．４２＜Ｄ12／Ｄ1＜０．７５      （２０)
ここで、
Ｄ12は、前記第１サブレンズユニットの入射面から前記第２サブレンズユニットの入射面までの距離、
Ｄ1は、前記第１サブレンズユニットの入射面から前記第３サブレンズユニットの射出面までの距離、
である。
【請求項３１】
請求項１から３０のいずれか１項に記載の望遠レンズと、
撮像面を持ち且つ前記望遠レンズにより前記撮像面上に形成された像を電気信号に変換する撮像素子と、を有することを特徴とする撮像装置。
【手続補正２】
【補正対象書類名】明細書
【補正対象項目名】０００６
【補正方法】変更
【補正の内容】
【０００６】
上述した課題を解決し、目的を達成するために、本発明の望遠レンズは、
物体側から像側に順に、
位置が固定の正屈折力の第１レンズ群と、
無限遠物点から近距離物点へのフォーカシングの際に、光軸に沿って像側へ移動する負屈折力の第２レンズ群と、
フォーカシングの際に光軸方向での位置が固定の正屈折力のリアレンズ群と、からなり、
第１レンズ群は、物体側から像側に順に、正屈折力の第１サブレンズユニットと、第２サブレンズユニットと、正屈折力の第３サブレンズユニットと、絞りと、からなり、
以下の条件式（１）を満足することを特徴とする。
０．４＜ｄsu1o2／ｄG1＜０．８      （１）
ここで、
ｄsu1o2は、第１サブレンズユニットの最も物体側に位置するレンズの物体側の面から第２サブレンズユニットの最も物体側に位置するレンズの物体側の面までの光軸上の距離、
ｄG1は、第１レンズ群の最も物体側に位置するレンズの物体側の面から第１レンズ群の最も像側に位置するレンズの像側の面までの光軸上の距離、
である。
【手続補正３】
【補正対象書類名】明細書
【補正対象項目名】００１６
【補正方法】変更
【補正の内容】
【００１６】
条件式（１）の上限値を下回ることで、第２サブレンズユニットにおいて適切なレンズ径を確保しつつ、第２サブレンズユニットに入射する光線の高さを、ある程度高くすることができる。これにより、第２サブレンズユニットによって、収差の発生を抑制することができる。また、第２サブレンズユニットで収差の発生を十分に抑制できるので、第１サブレンズユニットにおけるレンズの枚数を少なくすることができる。もしくは、第１サブレンズユニットの屈折力を小さくする必要がなくなる。その結果、光学系全体の全長や重量を小さくすることができる。
【手続補正４】
【補正対象書類名】明細書
【補正対象項目名】００１７
【補正方法】変更
【補正の内容】
【００１７】
下限値を上回ることで、第１サブレンズユニットと第２サブレンズユニットとの間の軸上間隔を適切に確保できる。この場合、第２サブレンズユニットに入射する光線の高さが低くなるので、第２サブレンズユニットにおけるレンズ径を小さくすることができる。
【手続補正５】
【補正対象書類名】明細書
【補正対象項目名】００２４
【補正方法】変更
【補正の内容】
【００２４】
条件式（３）の下限値を上回ることで、第２サブレンズユニットに入射する光線の高さを、ある程度高くすることができる。そのため、第１サブレンズユニットで発生した各種の収差を、第２サブレンズユニットで低減することができる。